(57)【要約】【課題】  空気などの気体が入った中空体の一対よりなる打鳴具に関して、中空体を片方ずつ持って互いに打ち合うことで打鳴音が発生するものであるため、手から放して下に置いた時にばらばらになったり、持ち歩きの際に両手が塞がってしまう不便があった。また片手で持って他方の手で打ち鳴らすことが出来るような打鳴具があれば便利であると考えた。【解決手段】  空気などの気体を入れて膨らませる複数の袋体を着脱自在に一体とすることで、片手での持ち運びを可能にした。また複数の袋体をその中程でまたは一端部側に寄った部位で、着脱自在に一体にするまたは固定的に接続することで、片手で持って空いている他方の手で打ち鳴らすことが出来る。また複数の袋体を股状に形成することによって、片手で持って空いている他方の手で打ち鳴らしたり片手だけで持ち運ぶことを可能にした。【選択図】            図１
2013188459.tif 000002
【特許請求の範囲】
【請求項１】
内部に気体を吹き込んで膨らませる少なくとも２個１組となる袋体の何れか一にまたは双方に、相手の袋体に着脱自在に接続して一体にするための着脱具が設けられている、打撃音発生用具。
【請求項２】
内部に気体を吹き込んで膨らませる少なくとも２個１組となる袋体と、前記袋体同士を着脱自在に束ねて一体にするための結束具とを備えている、打撃音発生用具。
【請求項３】
請求項１の前記着脱具をまたは請求項２の前記結束具を、前記袋体の中程にまたは一端部側に寄るように配置して成る、打撃音発生用具。
【請求項４】
内部に気体を吹き込んで膨らませる少なくとも２個１組となる袋体と、前記袋体の中程でまたは一端部側に寄った箇所で前記袋体同士を接続している接続部と、から成る、打撃音発生用具。
【請求項５】
前記接続部に付いて、相対する前記袋体の間に接着剤層または両面接着テープを有している、請求項４に記載の打撃音発生用具。
【請求項６】
前記接続部に付いて、相対する前記袋体の間にクッション材を有している、請求項４に記載の打撃音発生用具。
【請求項７】
内部に気体を吹き込んで膨らませる少なくとも２個１組となる袋体と、この袋体同士を固定的に束ねるための結束具とを備え、前記結束具を前記袋体の中程にまたは一端部側に寄るように配置して設けて成る、打撃音発生用具。
【請求項８】
２個１組となる前記袋体と、請求項５の前記両面接着テープとまたは請求項７の前記結束具と、の組み立てキットに成る、打撃音発生用具。
【請求項９】
内部に気体を吹き込んで膨らませる袋体が複数の股状に形成されている、打撃音発生用具。
【請求項１０】
内部に気体を吹き込んで膨らませる複数の袋体が股状に設けられている、打撃音発生用具。
【請求項１１】
前記袋体に綿菓子などの菓子を入れて封止した袋体を用いる、請求項１乃至請求項１０の何れか一に記載の打撃音発生用具。
【請求項１２】
内部に気体を吹き込んで膨らませる複数の袋体を、前記袋体の中程でまたは一端部側に寄った部位で、クッション材を介在させて接着する、打撃音発生用具の製造方法。
【請求項１３】
内部に気体を吹き込んで膨らませる袋体を複数の股状に形成する、打撃音発生用具の製造方法。
【請求項１４】
内部に気体を吹き込んで膨らませるものであると共に熱圧着が可能な複数の袋体を、該袋体に気体が吹き込まれていない状態で各々の角部を重ねるようにして、この重なった部分を圧着する、打撃音発生用具の製造方法。
【請求項１５】
前記気体にヘリウムや水素などの空気よりも比重の軽い気体を用いて浮く袋体とする、請求項１２乃至請求項１４の何れか一に記載の打撃音発生用具の製造方法。
【発明の詳細な説明】
【技術分野】
【０００１】
この発明は互いを打ち合わせることで打撃音を発生する、スポーツ観戦や遊技に用いるための打撃音発生用具に関する。
【背景技術】
【０００２】
特開平１１−２５３６６６号は、スポーツ等観戦に用いられる、合成樹脂材で形成されエアーが入った軽量な長尺状の中空体の一対よりなる打鳴具である。この長尺一対の打鳴具を互いに打ち合うことで打鳴音が発生する。
【先行技術文献】
【特許文献】
【０００３】
【特許文献１】特開平１１−２５３６６６号公報（図６）
【発明の概要】
【発明が解決しようとする課題】
【０００４】
上記打鳴具は、手から放して下に置いた時に風などでばらばらにされることがあった。また一対の中空体はその各々を片手で持ち両手で打ち合うことを想定して作られており、持ち歩きの際には両手を用い両手が塞がってしまうため、手を空けたい時には片脇に抱えるか空気を抜いて小さくする必要があった。この発明ではこのような問題を解決したい。なお片手で持って歩けるということに関連して、片手で持って打ち鳴らすことが出来るような打鳴具があればとても珍しくまた便利であるから、このような問題を解決したい。従ってこの発明は上記問題の何れか一を、または両方を共に解決出来るような打撃音発生用具を提供したい。
【課題を解決するための手段】
【０００５】
上記の課題は、内部に気体を吹き込んで膨らませる少なくとも２個１組となる袋体の何れか一にまたは双方に、相手の袋体に着脱自在に接続して一体にするための着脱具を設けた打撃音発生用具とすることにより達成される。下に置いたり持ち運んだりする際には、前記着脱具によって１組の袋体をまとめて一つにすることが出来るから、ばらばらにならず、また何れか一の袋体を持てば１組の袋体の全部を持つことが出来るため片手を空けることが可能になる。この場合は空気を抜かずとも良いからその手間もないし、袋体にイラストや企業名などの名入れがなされていれば、持ち歩く際に人目を惹く効果がある。分離する場合には着脱具を以て各々独立させることが出来る。なお袋体には、気体を吹き込んだり抜いたり出来る弁を備えた口を有するものの他、気体を吹き込んだら封止してしまうタイプの口を備えているものがある。ゴム風船には後者のタイプのものが多い。また上記着脱具には何を用いても良いが、一例としてホック、ゴム磁石、粘着ゴム、粘着テープ、面ファスナー、ファスナーを上げる。また着脱具は何カ所に設けても良い。なおこれ等の着脱具は袋体に設けずに、袋体とセットの状態で提供することが出来るが、これもまたこの発明の権利範囲内のものである。
【０００６】
また上記の課題は、内部に気体を吹き込んで膨らませる少なくとも２個１組となる袋体と、この袋体同士を着脱自在に束ねて一体にするための結束具とを備えた打撃音発生用具とすることにより達成される。上記結束具によって１組の袋体をまとめて一つにすることが出来るから、請求項１の打撃音発生用具と同様の作用効果がある。各々の袋体に分離する場合には、袋体から結束具を外すことによって独立させることが出来る。なお袋体には気体を吹き込んだり抜いたり出来る弁を備えた口を有するものの他、気体を吹き込んだら封止してしまうタイプの口を備えているものがある。また上記結束具には何を用いても良いが、一例として袋体の数のゴムバンドを回転対称に接続して成るものを上げる。また結束具を複数個用いても良い。なお袋体と結束具とをセットの状態で提供することが出来るが、これもまたこの発明の権利範囲内のものである。
【０００７】
次に、請求項１の前記着脱具をまたは請求項２の前記結束具を、前記袋体の中程にまたは一端部側に寄るように配置して成るものとしても良い。この構成によれば、着脱具または結束具により一体となったあたりを片手で持ち、結束が為されていない部位をもう一方の手で打撃する（実際に使用してみると分かるのであるが、もう一方の手に対して打撃音発生用具の方を打ち付けるようにすることも多くあり、頭などの他の身体部位に打ち付けても遊ぶことも可能である、すなわち片手だけでも使用可能なのである）ことによって、この部位の袋体に打撃音を発すると言う作用がある。この打撃音は内部に気体を吹き込んで膨らませた袋体に独特の響きである。またこの打撃音は隣り合う袋体で響く点が特徴である。なお袋体の一体としたあたりを片手で持ち、結束が為されていない部位をもう一方の手で打撃した際に、その反動で、手による打撃を加えた側の袋体と他側の袋体とが互いに打ち合って打撃音を発する作用を現すような、袋体同士の束ね方や袋体の形状を工夫することが出来る。あるいは手による打撃を加えずとも、片手で持った袋体を振ることによる反動で袋体同士が互いに打ち合って打撃音を発するような袋体同士の束ね方や袋体の形状を工夫することも可能である。
【０００８】
ところで上述した請求項１〜３の発明は、元々は別体として用いる複数個の袋体を必要に応じて着脱自在に一体にすることが出来るようにしたものである。これに対して請求項４〜１５の発明は、複数個の袋体が接続部を以て、着脱的にではなく固定的に接続されているものに関している。
【０００９】
すなわち上記の課題は、内部に気体を吹き込んで膨らませる少なくとも２個１組となる袋体と、前記袋体の中程でまたは一端部側に寄った箇所で前記袋体同士を接続している接続部と、から成る打撃音発生用具とすることによって達成される。下に置いたり持ち運んだりする際には、２個１組の袋体は一体であるから、ばらばらにならず、また何れか一の袋体を持てば１組の袋体の全部を持つことが出来るため片手を空けることが可能になる。この場合は空気を抜かずとも良いからその手間もないし、袋体にイラストや企業名などの名入れがなされていれば、持ち歩く際に人目を惹く効果がある。
【００１０】
特に、上記接続部で接続されているあたりを片手で持ち、接続が為されておらず開放された状態となっている部位をもう一方の空いた手で打撃する（実際に使用してみると分かるのであるが、もう一方の手に対して打撃音発生用具の方を打ち付けるようにすることも多くあり、頭などの他の身体部位に打ち付けても遊ぶことも可能である、すなわち片手だけでも使用可能である）ことによって、この部位の袋体に打撃音を発すると言う作用がある。この打撃音は内部に気体を吹き込んで膨らませた袋体に独特の響きである。またこの打撃音は隣り合う袋体で響く点が特徴である。なお袋体の接続されているあたりを片手で持ち、接続されていない部位をもう一方の手で打撃した際に、その反動で、手による打撃を加えた側の袋体と他側の袋体とが互いに打ち合って打撃音を発する作用を現すような、袋体同士の接続のし方や袋体の形状を工夫することが出来る。あるいは手による打撃を加えずとも、片手で持った袋体を振ることによる反動で袋体同士が互いに打ち合って打撃音を発するような袋体同士の接続のし方や袋体の形状を工夫することも可能である。なお袋体には、気体を吹き込んだり抜いたり出来る弁を備えた口を有するものの他、気体を吹き込んだら封止してしまうタイプの口を備えているものがある。また上記接続部の形成手段は自由であるが、接着剤によって接着剤層を形成すればこれが接続部と成るし、両面接着テープのような接着手段を用いればこれが接続部と成る。あるいは後述するようにクッション材を介在させて相対する袋体を接着すればこのクッション材が接続部と成るし、後述するように相対する袋体を熱熔着して熔着部を形成すればこれが接続部と成る。この内、両面接着テープは袋体同士を接着して打撃音発生用具を構成するのに手軽であるし、クッション材は袋体を打撃した時の接続部に掛かる衝撃を和らげてくれる。このことから例えばアクリルフォーム基材をクッション材としてその両面にアクリル系粘着剤を塗布したものなどは好適な接着手段となる。なおこれ等の接着手段で袋体同士を接続せずに、少なくとも２個１組となる袋体とセットの状態で提供することが出来るが、これもまたこの発明の権利範囲内のものである。
【００１１】
また上記の課題は、内部に気体を吹き込んで膨らませる少なくとも２個１組となる袋体と、この袋体同士を固定的に束ねるための結束具とを備え、前記結束具を前記袋体の中程にまたは一端部側に寄るように配置して設けて成る、打撃音発生用具とすることによって達成される。袋体同士を固定的に束ねるための結束具によって一つに固定することが出来るから、請求項４の打撃音発生用具と同様の作用効果がある。打撃した時の作用効果に付いても請求項４の打撃音発生用具と同様である。なお袋体には気体を吹き込んだり抜いたり出来る弁を備えた口を有するものの他、気体を吹き込んだら封止してしまうタイプの口を備えているものがある。また上記結束具には何を用いても良いが、一例として袋体の数のゴムバンドを回転対称に接続して成るものを上げる。なお袋体とこの袋体同士を固定的に束ねるための結束具とをセットの状態で提供することが出来るが、これもまたこの発明の権利範囲内のものである。
【００１２】
なお、２個１組となる前記袋体と、請求項５の前記両面接着テープとまたは請求項７の袋体同士を固定的に束ねるための前記結束具と、から成る組み立てキットを提供することが出来る。ユーザーは使用開始に先立って、あるいは何時に時点でも、両面接着テープや結束具を用いて打撃音発生用具を組み立てることが出来る。
【００１３】
次に上記課題は、内部に気体を吹き込んで膨らませる袋体が複数の股状に形成されている打撃音発生用具とすることにより達成される。片手で持って打ち鳴らしたり、片手だけで持ち運ぶことが出来るように構成するのである。打ち鳴らしの際の打撃音は内部に気体を吹き込んで膨らませた股状の袋体に独特の響きである。この股状の袋体は音叉の形状を連想させる。この打撃音発生用具は打撃される袋体が最初から股状を呈する一つのものとして形成された珍しいものである。
【００１４】
また上記課題は、内部に気体を吹き込んで膨らませる複数の袋体が股状に一体に設けられている打撃音発生用具とすることにより達成される。この製造方法の一例として、内部に気体を吹き込んで膨らませ得ると共に熱圧着が可能な複数の袋体を、袋体に気体が吹き込まれていない状態で各々の角部が重なるようにして、この重なった部分を熱圧着するものを上げる。各々の角部が重なるようにするには、袋体に気体が吹き込まれていない状態で袋体をきちんと重ね合わせて、この上から前記角部に対して斜めに熱圧着すれば良い。熱圧着部の外側を切断すれば端切れとして除去することが出来る。あるいは袋体に気体が吹き込まれていない状態で全体形状が略Ｖ字形状を呈するようにして角部同士を重ね合わせ、この重なった部分を熱圧着するものを上げる。これ等の熱圧着された部位は上記接続部として見ることが可能である。複数の袋体は熱圧着することで一体化する。これは個々の袋体を着脱具や結束具によらずに固定的に一体に取り付けて成る点が特徴であり、やはり片手で持って打ち鳴らしたり片手だけで持ち運ぶことが出来る。打ち鳴らしの際の打撃音は内部に気体を吹き込んで膨らませた袋体に独特の響きである。またこの打撃音は隣り合う袋体で響く点が特徴である。
【００１５】
さて請求項１〜１０の打撃音発生用具に関して、前記袋体に綿菓子などの菓子を入れて封止した袋体を用いるようにすることが可能である。打撃音発生用具として使用した後で綿菓子などの菓子を取り出して食することが出来る。
【００１６】
なおこの発明で吹き込む気体に関しては限定がなく、普通は空気（呼気を含む）であるが、ヘリウムを用いても良い。また日本の現状では禁止されているが水素という可能性もある。吹き込み口に関して限定はなく、気体を吹き込んだら縛ったり、ヒートシールなどで閉じてしまっても良く、あるいは気体を抜いたり再度吹き込んだりし得るように栓のない逆止弁を用いたり、弁のない栓付きの口としたり、封止用のクリップを用いるようにするなど自由に設計して良い。一組となる袋体は同一大や同一形状でなくとも良い。打ち合いやすさを勘案して袋体の一部に太さの変化をつけても良い。また袋体はガスバリア性を有していることが望まれるが、その材質は任意に選択可能である。
【発明の効果】
【００１７】
この発明の打撃音発生用具によれば、手から放して下に置いた時にばらばらになることがなく、持ち歩きの際には片手で持つことが出来るので片手を空けることが可能になっている。また複数の袋体をその中程でまたは一端部側に寄った部位で、着脱自在に一体にして成るものまたは固定的に接続して成るものでは、片手で持って空いた他方の手で打ち鳴らすことが出来るようになった。
【図面の簡単な説明】
【００１８】
【図１】実施例１の別体時の説明図である。
【図２】実施例１の一体時の説明図である。
【図３】実施例２の別体時の説明図である。
【図４】実施例２の一体時の説明図である。
【図５】実施例３を斜面視した説明図である。
【図６】実施例４の説明図である。
【図７】実施例５の説明図である。
【図８】実施例６の説明図である。
【図９】実施例７の説明図である。
【図１０】実施例８の説明図である。
【図１１】実施例９の説明図である。
【図１２】実施例９をＸ−Ｘ面で断面視した説明図である。
【図１３】実施例１０の説明図である。
【図１４】実施例１１の説明図である。
【発明を実施するための形態】
【実施例１】
【００１９】
図１および図２でこの実施例の打撃音発生用具１を表す。袋体１０はおよそ６０センチメートル長に切断した薄手のポリエチレンチューブであり、その両端部にヒートシールを施して熔着部１１，１２を設けることにより密閉するが、一側の熔着部１２には空気吹き込み風船用の逆止弁１３を取り付けている。これによって２個１対の打撃音発生用具１を得るが、さらに各々袋体１０の外周面で熔着部１２に近い部位に剥離紙１４を上から被せた粘着部１５を設けている（図１の下側の袋体１０では剥離紙１４の一部を取り去り粘着部１５を見せている）。逆止弁１３にストローを挿入して息を吹き込み、逆止弁１３からストローを抜き出すと内部の気圧で弁が閉じて空気が封止される。ストローを用いないものとして例えば特開２００９−２８１５６５のフィルム逆止弁が参考になる。
【００２０】
この２個１対の打撃音発生用具１を手から放して下に置きたい時、あるいは片手で持ち片手を空けたいとする時には、双方とも剥離紙１４を取り去って粘着部１５を露出させ、一方の袋体１０を長手方向に反転させてから粘着部１５で相手の袋体１０の外周面に粘着させるようにすると、図２のように両側の２箇所で粘着して一体になる。この状態では片手だけで持つことが出来る。また粘着部１５，１５の間の袋体１０，１０の隙間に腕肩を通して持つようなことも可能である。なお粘着部１５は再剥離、再粘着が可能である。
【実施例２】
【００２１】
図３および図４でこの実施例の打撃音発生用具２を表わす。２枚のポリエチレンシートを重ね合わせて長手方向の両側部にヒートシールを施して（符号２８でこのヒートシールの線を示す）チューブを形成すると共に、長手方向の両端部にヒートシールを施して熔着部２１，２２を設けることにより密閉するが、一側の熔着部２２には空気吹き込み風船用の逆止弁２３を取り付ける。また双方の袋体２０の外周面で熔着部２２に極めて近い部位に、一方はオス側の面ファスナー２４を、他方にはメス側の面ファスナー２５を取り付けている。
【００２２】
この２個１対の打撃音発生用具２によれば、逆止弁２３から空気を吹き込んで膨らませた袋体２０，２０を面ファスナー２４，２５で仮接着させると、面ファスナー２４，２５の取り付け位置が袋体２０の円筒状から熔着部２２の扁平状に変わるカーブに掛かっているために、図４のように２個の袋体２０，２０は略Ｖ字形状を呈して一体の打撃音発生用具２となる。この状態では符号２６で指し示すあたりを持ち手部として片手だけで持つことが出来る。ドリンクやスナックを取るなど片手を空けたいとする時に便利である。さらに符号２７で指し示すあたりを打撃部として、他方の手でこれを打撃して（あるいは他方の手に向けて打撃して）袋体２０，２０を打ち鳴らし得る点もこの実施例の特長となっている。なお面ファスナー２４，２５よりも熔着部２１の側に寄った部位に突起を設けて、突起を突き合わせるようにすることでも２個の袋体２０，２０の熔着部２１側を開かせるようにすることが可能である。これは次に述べる実施例の空隙３２にも通じる考えであると言うことが出来る。
【実施例３】
【００２３】
図５で表した結束具３は、鎖線で表した３個の袋体Ｂを着脱自在に束ねて一体にするためのものである。結束具３はシリコーンゴム製に成るものであり、外枠３０の内部に３回対称にピタリと納まる内枠３１，３１，３１がその外周面で互いに接着している。さらに別体のゴム輪３３を備える。内枠３１は１個の袋体Ｂが密着して納まる直径を有し、ゴム輪３３は束ねた３個の袋体Ｂが密着して納まる直径を有する。
【００２４】
図５のように３個の袋体Ｂの各々を結束具３の内の内枠３１に通し、さらに３個の袋体Ｂの端部を一つに束ねてゴム輪３３を掛けると、この実施例の結束具３を備えた打撃音発生用具となる。この際、外枠３０の中心部には空隙３２が生じているため、袋体Ｂの結束具３で束ねられていない側すなわち袋体Ｂの打ち合う側は開き気味となる。分離する場合には結束具３から袋体Ｂを外せば各々独立させることが出来る。なお鎖線で表したように外枠３０とゴム輪３３とをブリッジ３４で一体に結んだ結束具とすることが可能である。また袋体Ｂを結束具３で束ねた後で、接着剤を用いるなどして固定させる実施例も可能である。この他、結束具の一例として結束紐や尾錠付きベルトを上げる。なお３個の袋体Ｂと結束具３とから成る打撃音発生用具組み立てキットを提供することが可能である。
【実施例４】
【００２５】
図６でこの実施例の打撃音発生用具４を表わす。型取りした２枚の低密度ポリエチレンシートを重ね合わせてその周囲を熔着して熔着部４１を設けると共に空気吹き込み風船用の逆止弁４２を取り付けて袋体４０を形成する。このような袋体４０の２個を互いを打ち合って打撃音を発するための１組として、袋体４０の中程にバネ性を有する断面Ｖ字形状の接続具４３を設けて袋体４０同士を固定的に接続する。この部位が上記接続部である。
【００２６】
２個の袋体４０は各々独立しているため、各々の逆止弁４２から空気を吹き込んで膨らます。この状態で何れか一方を持ち手部として片手で持ち、他方の手で袋体４０に打撃を加えるようにすると、接続具４３の厚みだけ離れた位置から２個の袋体４０，４０が打ち合って打撃音を発生する。接続具４３はそのバネ性で元に戻る。この実施例の打撃音発生用具４はデフォルメされた具象体となっており見ても楽しい。なお接続具４３は袋体４０の中程にあるため、先に打ち合ったのとは反対の側を打ち合って打撃音を発生させることも可能である。なおバネ性を有さない接続具を用いる設計も可能である。なおこの打撃音発生用具４の持ち方に付いて、２個の袋体４０の何れか一方を片手で内側から外側に向けて持ち、この持った方の袋体４０に他方の手で打撃を加えるようにする。この際の反動で他方の袋体４０が大きく揺さぶられて片手で持った方の袋体４０と打ち合うが、この他方の袋体４０は手に接触しないでいるためより澄んだ音を発する。これは他の実施例でも起こり得ることである。
【実施例５】
【００２７】
図７でこの実施例の打撃音発生用具５を表す。２枚の５０センチメートル長のポリエチレンシートを重ね合わせて長手方向の両側部にヒートシールを施して（符号５４でこのヒートシールの線を示す）チューブを形成すると共に、その両端部にヒートシールを施して熔着部５１，５２を設けることにより密閉するが、一側の熔着部５２には空気吹き込み風船用の逆止弁５３を取り付ける。また双方の袋体５０の外周面で熔着部５２に極めて近い部位に接着剤を塗布して袋体５０同士を接着させる。このためこの部位には接着剤層５７が形成されている。
【００２８】
逆止弁５３から空気を吹き込んで膨らませた袋体５０，５０は、熔着部５２に極めて近い部位に設けられた接着剤層５７で固定的に接続されており（接続部である）、接着剤層５７が設けられた位置が袋体５０の円筒状から熔着部５２の扁平状に変わるカーブに掛かっているために、図７のようにＶ字形状を呈する打撃音発生用具５となるのである。この状態では符号５５で指し示すあたりを持ち手部として片手だけで持つことが出来る。ドリンクやスナックを取ったり応援旗を振るなど片手を空けたいとする時に便利である。さらに符号５６で指し示すあたりを打撃部として、他方の手でこれを打撃して（あるいは他方の手に向けて打撃して）、袋体５０，５０を打ち鳴らし得る点もこの実施例の特長となっている。なお袋体５０，５０の接着剤層５７を設けたあたりよりも熔着部５１の側に寄った部位に突起を設けて、突起を突き合わせるようにすることでも２個の袋体５０，５０の熔着部５１側を開かせるようにすることが可能である。
【実施例６】
【００２９】
図８でこの実施例の打撃音発生用具５８を表す。このものは２個の５０センチメートル長の袋体５９，５９と、両面に粘着剤層５０５，５０５を有するクッション材５０４すなわち両面粘着テープと、から成る打撃音発生用具５８の組み立てキットである。なおクッション材５０４の両面の粘着剤層５０５，５０５は各々その表面が剥離紙５０６で保護されており、組み立て時にはユーザーがこれ等の剥離紙５０６を剥がして２個の袋体５９，５９を接着することになる。袋体５９，５９は、各々ポリエチレンシートを重ね合わせて長手方向の両側部にヒートシールを施して（符号５０３はヒートシールの線である）チューブを形成すると共に、その両端部にヒートシールを施して熔着部５００，５０１を設けることにより密閉するが、一側の熔着部５０１には空気吹き込み風船用の逆止弁５０２を取り付ける。なおこのキットをユーザーが組み立てやすいように、袋体５９，５９にクッション材５０４を接着させる目安となる部位を表すべく、例えばクッション材５０４の大きさの枠を印刷するなどしておくと良い。
【００３０】
逆止弁５０２から空気を吹き込んで膨らませた袋体５９，５９は、図８のように膨らんだ状態になる。この２個の袋体５９，５９を、熔着部５０１に極めて近い部位で粘着剤層５０５，５０５すなわち粘着面を露出させたクッション材５０４を介在させて接着することにより、およそ図７で表したような全体が略Ｖ字形状を呈する打撃音発生用具を得る。クッション材５０４で固定的に接続された部位が接続部である。これによれば片手だけで持ってもう他方の手を空けることが出来るのは勿論のこと、袋体５９，５９の略Ｖ字形状に開いた部位を他方の手で打撃して（あるいは他方の手に向けて打撃して）、袋体５９，５９を打ち鳴らすことが出来る。この時接続部がクッション材５０４であることによってこの部位に加わる衝撃が和らげられたり、この部位の袋体５９，５９の変形が僅かながら抑えられると言う効果を奏する。
【実施例７】
【００３１】
図９でこの実施例の打撃音発生用具６を表す。袋体６０はおよそ１００センチメートル長に切断した薄手のポリエチレンチューブであり、その両端部にヒートシールを施して熔着部６１，６２を設けることにより密閉するが、一側の熔着部６２には空気吹き込み風船用の逆止弁６３を取り付ける。また袋体６０を２つ折りにする部位を挟んでその両側に２列の熔着部６４を設けるが、この熔着部６４には一部熔着が為されないで通気路６５となる部位を形成する。さらに袋体６０の外周面で熔着部６４に近い両側の部位に接着部６６を設けている。なお通気路６５の代わりに潰れにくいパイプを通す構成も可能である。
【００３２】
逆止弁６３にストローを挿入すると息を吹き込み易くなるが、逆止弁６３から袋体６０に息を吹き込み、逆止弁６３からストローを抜き出すと内部の気圧で弁が閉じて呼気が封止される。この際に熔着部６４を中央として逆止弁６３とは反対側の袋体６０へは熔着部６４の通気路６５を通して空気が吹き込まれることになる。そこで２列の熔着部６４の間で２つ折りにしつつ両側の接着部６６同士を接着して固定すると、ここが接続部となって２股状の略Ｖ字形状の打撃音発生用具が得られる。この２つ折りにした部位の近傍は片手で持つことが可能である。またこの２つ折りの袋体６０はもう一方の手で加えた打撃によって互いを打ち合うことが出来る。上記２つ折りにした部位の近傍は２個の袋体６０に共用される１個の持ち手部である、と見ることが出来る。
【実施例８】
【００３３】
図１０でこの実施例の打撃音発生用具６７を表す。太目の直径を有する薄手のポリエチレンチューブを、その両端部にヒートシールを施して熔着部６９，６０１を設けるのであるが、さらにポリエチレンチューブの長手方向の中心線（鎖線）に沿うようにして熔着部６９から熔着部６０１方向に切れ込む略Ｕ字形状の熔着部６００を設けることにより密閉して股状と成し、２股の袋体６８，６８を備えた打撃音発生用具６７を得る。なお熔着部６０１には空気吹き込み風船用の逆止弁６０２を取り付けるが、これは２股の袋体６８，６８に共用される。さらにこの熔着部６０１には肩から提げる紐のための紐通し６０６を設けた。また上記略Ｕ字形状の熔着部６００の突端（図１０では右端）と熔着部６０１との間の上記中心線上の一部に熔着部６０３を設けている。
【００３４】
上記熔着部６０３の両側は何れの側でも片手で持つことが出来る持ち手部６０４となっている。そこでこの持ち手部６０４を片手で持ち、符号６０５で指し示すあたりを打撃部として、他方の手に対しこれを打撃して袋体６８，６８を打ち鳴らすのである。すなわち持ち手部６０４とその先方の２股状の打撃部６０５，６０５とを有して、打撃部６０５，６０５は実際に互いに叩き合うことが出来るように構成されている点が特徴である。
【実施例９】
【００３５】
図１１と図１２とでこの実施例の打撃音発生用具７を示す。２枚のポリエチレンシートを重ね合わせて長手方向の両側部にヒートシールを施してチューブを形成すると共に両端部にヒートシールを施して熔着部７１，７２を設けることにより密閉して袋体７０が形成される。この際に熔着部７１の圧着方向が図１１の手前側から奥側であるのに対して、空気吹き込み風船用の逆止弁７３を取り付ける熔着部７２の圧着方向は図１１の上側から下側となるようにした点が特徴である。上述の実施例では両端部のヒートシールは同一平面上にあった。さて熔着部７２を形成するに先立って２個のポリエチレンチューブを隣り合わせに接触させて、この熔着部７２となる口から上記接触部分の２つの壁面を跨ぐようにして熱鏝でこの壁面を熔着して接続部としての熔着部７４を設ける。この際予め工夫しておいた熱鏝の形状により、図１２のように熔着部７４の中に２個の通気孔７５，７５が開孔される。これにより２個１対の袋体７０，７０が熔着部７４で固定的に接続して、通気孔７５で通気可能となる。その後にこの口を潰して重ねたまま同時にヒートシールを施して共通の熔着部７２を設けることによって袋体７０，７０を密閉するが、この際に何れか１の袋体７０の熔着部７２に空気吹き込み風船用の逆止弁７３を取り付ける。
【００３６】
このようにして形成された打撃音発生用具７によれば、逆止弁７３から空気を吹き込んで膨らませた袋体７０，７０は、熔着部７４や熔着部７２で一体とされていることによって、図１１のように全体はＶ字形状を呈して膨らむ。この状態では符号７６で指し示すあたりを持ち手部として片手だけで持つことが出来る。さらに符号７７で指し示すあたりを打撃部として他方の手でこれを打撃して袋体７０，７０を打ち鳴らすことが出来る。またこの実施例の袋体７０，７０には、図１１の手前側や裏側に印刷を施すことが出来るようになっている。すなわち各々の袋体７０に付き図１１の上下縁部にあるヒートシールの線が正面となる図１１の手前側や反対側の裏面に現れないため、都合良く印刷が行えるのである（実施例２の図４ではヒートシールの線２８が正面と裏面とに現れる）。このヒートシールの線は図１２に符号７８で指し示した。なお例えば３個１対の袋体により全体としてＷ字形状に膨らむようにも構成し得る。
【実施例１０】
【００３７】
図１３でこの実施例の打撃音発生用具８を表す。２枚のポリエチレンシートを重ね合わせて長手方向の両側部にヒートシールを施し（符号８５でこのヒートシールの線を示す）チューブを形成すると共に、長手方向の両端部にヒートシールを施して熔着部８１，８２を設けることにより密閉するが、一側の熔着部８２には空気吹き込み風船用の逆止弁８３を取り付ける。このようにして形成された袋体８０の２個を、各々の熔着部８２の角部でＶ字形状に重ね合わせ、その重ね合わせの中央部分にヒートシールを施して熔着部８４を設けることにより接続し股状として成る。なおヒートシール加工には電熱式のシーラを用いた。
【００３８】
２個の袋体８０，８０は空気袋としては各々独立しているため、各々の逆止弁８３から空気を吹き込んで膨らますことになる。すると全体は股状の略Ｖ字形状を呈して、熔着部８４の両側は何れの側でも片手で持つことが出来る持ち手部８６となっているので、この状態で何れか一方を片手で持ち他方の手で袋体８０に打撃を加えるようにするのである。なお各々の袋体８０にとって熔着部８４は斜めに設けられているため、持ち手部８６の太さは熔着部８２の方に向かい細くなっている。従って小さい手の人でも持ちやすいと言う効果もある。なお例えば３個の袋体を用いてＷ字形状の打撃音発生用具を形成することが可能である。なおこの実施例の打撃音発生用具８はこれがＶ字形状に見える面側に印刷を施しておくことが可能である。
【実施例１１】
【００３９】
図１４でこの実施例の打撃音発生用具９を表す。２枚のポリエチレンシートを重ね合わせて長手方向の両側部にヒートシールを施し（符号９５でこのヒートシールの線を示す）チューブを形成すると共に、長手方向の両端部にヒートシールを施して熔着部９１，９２を設けることにより密閉して袋体９０が形成される。この際に、熔着部９１の圧着方向が図１４の上側から下側であるのに対して、空気吹き込み風船用の逆止弁９３を取り付ける熔着部９２の圧着方向は図１４の手前側から奥側となるようにした点が特徴である。これは上述した実施例９の袋体７０が参考になる。このようにして形成された袋体９０の２個を空気を吹き込んでいない平らな状態できちんと重ね合わせ、この上からヒートシーラを用いて熔着部９２の角部に対して斜めにヒートシールを施して熔着部９４を設けことにより接続して成る。この熔着部９４の形状は角部に向かって凸湾曲させている。またこの熔着部９４の外側で切断して端切れＣとして取り去っている。
【００４０】
このようにして熔着部９４で一体化された２個の袋体９０，９０を、重なり合った状態から開くと全体は股状の一種略Ｖ字形状を呈することが分かる。この後は上述した実施例１０の打撃音発生用具８と同様にして使用することが出来る。またこの実施例でも持ち手部９６の太さは熔着部９２の方に向かって細くなるから、普通の手でもまた子供の手でも持ちやすい所を握るようにすれば良い。また持ち手部９６は片手で持つことが出来ることから、打撃音発生用具９の２個の袋体９０，９０を空いた手で叩き合わせるような使用が可能である。なお熔着部９２の角部のヒートシールは、実施例１０の熔着部８４のように直線であっても良いが、凸湾曲や凹湾曲や幾つかの直線で構成されたカーブなどであっても良い。これは膨らませた時の２個の袋体９０，９０のこの部位での密着性を工夫したことによるものである。なおこの実施例の打撃音発生用具９は、これを開いた時にＶ字形状に見える面側に印刷を施しておくことが出来る。
【００４１】
なお上述した各種実施例では、袋体をポリエチレンシート製の袋体で代表して説明したが、ゴム風船やビニール風船などの袋体を用いてこの発明の打撃音発生用具を構成することが可能である（図示せず）。また一種独特の興趣がある打撃音発生用具として、綿菓子を入れた風船にヘリウムガスを封止したものを上げるが（図示せず）、この場合は袋体を透明にすることで内部の綿菓子を外から透して見ることが出来る。
【産業上の利用可能性】
【００４２】
この発明の打撃音発生用具は自由な形状のものを作ることが出来、ぬいぐるみの人形や野球のバットや宇宙ロケットのような具象形のものとしても良く、スポーツ応援具や打楽器おもちゃなどの幅広い用途がある。また空気を吹き込むことで肺活量をアップさせたりリズムを取るために打撃するなどの行為を勘案すると、リハビリ施設で用いるものとしても有効である。
【符号の説明】
【００４３】
１…打撃音発生用具、１０…袋体、１１…熔着部、１２…熔着部、１３…逆止弁、１４…剥離紙、１５…粘着部、２…打撃音発生用具、２０…袋体、２１…熔着部、２２…熔着部、２３…逆止弁、２４…面ファスナー、２５…面ファスナー、２６…持ち手部、２７…打撃部、２８…ヒートシールの線、３…結束具、３０…外枠、３１…内枠、３２…空隙、３３…ゴム輪、３４…ブリッジ、Ｂ…袋体、４…打撃音発生用具、４０…袋体、４１…熔着部、４２…逆止弁、４３…接続具、５…打撃音発生用具、５０…袋体、５１…熔着部、５２…熔着部、５３…逆止弁、５４…ヒートシールの線、５５…持ち手部、５６…打撃部、５７…接着剤層、５８…打撃音発生用具、５９…袋体、５００…熔着部、５０１…熔着部、５０２…逆止弁、５０３…ヒートシールの線、５０４…クッション材、５０５…粘着剤層、５０６…剥離紙、６…打撃音発生用具、６０…袋体、６１…熔着部、６２…熔着部、６３…逆止弁、６４…熔着部、６５…通気路、６６…接着部、６７…打撃音発生用具、６８…袋体、６９…熔着部、６００…熔着部、６０１…熔着部、６０２…逆止弁、６０３…熔着部、６０４…持ち手部、６０５…打撃部、６０６…紐通し、７…打撃音発生用具、７０…袋体、７１…熔着部、７２…熔着部、７３…逆止弁、７４…熔着部、７５…通気孔、７６…持ち手部、７７…打撃部、７８…ヒートシールの線、８…打撃音発生用具、８０…袋体、８１…熔着部、８２…熔着部、８３…逆止弁、８４…熔着部、８５…ヒートシールの線、８６…持ち手部、９…打撃音発生用具、９０…袋体、９１…熔着部、９２…熔着部、９３…逆止弁、９４…熔着部、９５…ヒートシールの線、９６…持ち手部
【図１】
2013188459.tif 000003
【図２】
2013188459.tif 000004
【図３】
2013188459.tif 000005
【図４】
2013188459.tif 000006
【図５】
2013188459.tif 000007
【図６】
2013188459.tif 000008
【図７】
2013188459.tif 000009
【図８】
2013188459.tif 000010
【図９】
2013188459.tif 000011
【図１０】
2013188459.tif 000012
【図１１】
2013188459.tif 000013
【図１２】
2013188459.tif 000014
【図１３】
2013188459.tif 000015
【図１４】
2013188459.tif 000016